(57)【要約】【課題】第２族元素イオンを除去した水を長期間もしくは大量に得るスケール除去器および、そのスケール除去器を搭載した加湿機を提供する。【解決手段】上面と底面の中央周辺にそれぞれ入口１と出口２を有する円筒容器４内に、この円筒容器４内を上下に分ける円盤３を設け、この円盤３の外径は円筒容器４の内径より小さく、円筒容器４内がイオン交換樹脂５で満たされるようにイオン交換樹脂５を充填するスケール除去器２７を得る。また、そのスケール除去器２７をタンク蓋２６に固定して給水タンク２０内に設けた加湿機を得る。【選択図】図１
2014006029.tif 000002
【特許請求の範囲】
【請求項１】
上面と底面の中央周辺にそれぞれ入口と出口を有する円筒容器内に、この円筒容器内を上下に分ける円盤を設け、この円盤の外径は前記円筒容器の内径より小さく、前記円筒容器内がイオン交換樹脂で満たされるように前記イオン交換樹脂を充填することを特徴とするスケール除去器。
【請求項２】
円筒状で、中空かつ上面と底面の外周にそれぞれ入口と出口を有し、内部の中間層かつ円筒中心に外円が円筒容器と同じ直径で中心に孔を有するドーナツ盤を設けた円筒容器を備え、円筒容器の中にイオン交換樹脂を充填することを特徴とするスケール除去器。
【請求項３】
円筒容器の高さは中央部が外周部より高いことを特徴とする請求項１または２記載のスケール除去器。
【請求項４】
円筒容器の中にホットメルト樹脂粉末とイオン交換樹脂を混合したものを充填し、加熱冷却してバルク状イオン交換体とすることを特徴とする請求項１乃至３いずれかに記載のスケール除去器。
【請求項５】
給水バルブが設けられたタンク蓋を備えた給水タンク、および加湿トレイを有し、請求項１乃至４いずれかに記載のスケール除去器をタンク蓋に固定して給水タンク内に設けることを特徴とする加湿機。
【請求項６】
給水タンクを自立させる支持体およびタンク蓋の給水バルブを常時開ける突起を有する再生台を備えることを特徴とする請求項５記載の加湿機。
【発明の詳細な説明】
【技術分野】
【０００１】
本発明は、スケールの元となる成分を除去した水を作り出すスケール除去器および、その水を気化させて部屋へのスケールの散布や加湿フィルタおよびトレイへのスケールの固着を防止する加湿機に関するものである。
【背景技術】
【０００２】
従来、スケールを除去した水を用いて加湿する加湿機として、例えば、特許文献１に記載されるような加湿機が知られている。
【０００３】
以下、その加湿機について図１３を参照しながら説明する。図１３に示すように加湿機は給水タンク１０１、イオンフィルタ１０２、加湿トレイ１０３、加湿モジュール１０４、送風機１０５で構成される。給水タンク１０１中の水はジグザグの通水路１０６を有し、通水路１０６の中に粒状の強酸性イオン交換樹脂１０７が充填されたイオンフィルタ１０２を通水方向１０８に沿って通過する。その際に水に含まれるカルシウムイオンやマグネシウムイオンなどの第２族元素からなるイオン（以下第２族元素イオンとする）がナトリウムイオンと交換する形で強酸性のイオン交換樹脂１０７に捕捉され、水中から除去される。第２族元素イオンが除去された水は加湿トレイ１０３に行き、加湿モジュール１０４と接触する。水は加湿モジュール１０４を構成する透湿性チューブ１０９の壁を透過して透湿性チューブ１０９の内側へと送られる。そこで送風機１０５から通気方向１１０に沿って送り込まれた空気と接触し、気化して空気と混ざり、加湿される。水中の第２族元素イオンはイオンフィルタ１０２によって除去されているため、加湿トレイ１０３の水が乾いて第２族元素イオンが濃縮され、空気中の二酸化炭素や水中の炭酸イオンと結合して不溶性の炭酸塩となって加湿トレイ１０３に固着することを防ぐことができる。また、透湿性チューブ１１０の壁面に浸透した第２族元素イオンが炭酸塩となって透湿性チューブ１１０の壁面を目詰まらせ、加湿性能を低下させるという不具合を軽減することができる。
【先行技術文献】
【特許文献】
【０００４】
【特許文献１】特開２００８−８９２１１号公報
【発明の概要】
【発明が解決しようとする課題】
【０００５】
特許文献１に記載される加湿機に搭載されるイオンフィルタは、図から察するに小さな出入り口および直方体の形状と長方形の通水断面を有する。そのため、長方形の通水断面の隅々まで通水されず、そのため充填した全てのイオン交換樹脂を第２族元素イオンの捕捉に用いることができず、第２族元素イオンの除去性能が早く低下するという課題を有する。
【０００６】
そこで、本発明のスケール除去器は、加湿に用いる水の中に含まれる第２族元素イオンの除去性能を長期間に渡って高く維持することを目的とするものである。また、本発明の加湿機は、コンパクトな形状を保ちながら加湿フィルタや加湿トレイへのスケールの固着を防止し、加湿性能の低下を防止し加湿トレイの清潔さを維持することを目的とするものである。
【課題を解決するための手段】
【０００７】
そして、この目的を達成するために、本発明のスケール除去器は、円筒状で、中空かつ上面と下面の中心にそれぞれ入口と出口を有し、内部の中間層かつ円筒中心に円筒容器よりも一回り小さい直径の円盤を設けた円筒容器を備え、円筒容器の中にイオン交換樹脂を充填することにより初期の目的を達成するものである。
【０００８】
また、本発明の加湿機は、上記スケール除去器を給水タンク内かつ給水タンクの蓋の裏に設けることにより初期の目的を達成するものである。
【発明の効果】
【０００９】
本発明のスケール除去器は、上部中心に設けられた入口から円周方向に向かって粒状のイオン交換樹脂の間を通水し、下段に移った後に円周から出口のある中心に向かって粒状のイオン交換樹脂の間を通水する。したがって粒状のイオン交換樹脂が充填された円筒容器内部のほとんどが通水経路になり、かつ全ての通水経路がほとんど同じ長さとなるため、長期間高い除去率を維持しながら水中の第２族元素イオンを除去することができる。
【００１０】
また、常温では粉末状の固体であり融点以上になると融解するホットメルト樹脂粉末と粒状のイオン交換樹脂を混合して型に詰めて加熱冷却することでイオン交換樹脂どうしが接着され、一個の大きな塊となったバルク状イオン交換体となる。バルク状イオン交換体では粒状のイオン交換樹脂どうしの隙間が埋められているため通水速度が下がり、第２族元素イオンを漏らさず捕捉除去し、また、再生においても塩水をゆっくり通水することでナトリウムイオンの捕捉に伴う第２族元素イオンの脱離を十分に行わせることができる。
【図面の簡単な説明】
【００１１】
【図１】（ａ）本発明の実施の形態１のスケール除去器の上面図、（ｂ）同スケール除去器の側面図
【図２】同一点破線Ａにおける正面断面を示す構成図
【図３】同一点破線Ｂにおける上面断面を示す構成図
【図４】同高さ方向において中心部で広く、円周部で狭い通水路を有するスケール除去器の正面断面を示す構成図
【図５】同バルク状イオン交換体の拡大図
【図６】（ａ）本発明の実施の形態２のスケール除去器の上面図、（ｂ）同スケール除去器の側面図
【図７】同一点破線Ｃにおける正面断面を示す構成図
【図８】同一点破線Ｄにおける上面断面を示す構成図
【図９】本発明の実施の形態３の加湿機を示す断面構成図
【図１０】同加湿フィルタを示す構成図
【図１１】同再生台を示す構成図
【図１２】同再生台を装着した給水タンクを示す構成図
【図１３】従来の加湿機を示す構成図
【発明を実施するための形態】
【００１２】
以下、本実施の形態について図面を参照しながら説明する。
【００１３】
（実施の形態１）
上面中心に水の入る入口１と下面中心に出口２を有し、中間層に一回り小さい円盤３を設けた円筒容器４の中にイオン交換樹脂５を充填したスケール除去器の２面図を図１に、図１の一点破線Ａによる正面断面図を図２に、図１の一点破線Ｂによる上面断面図を図３に、バルク状イオン交換体の内部を拡大した図を図５に示す。
【００１４】
本実施例のスケール除去器は図１のとおり入口１が円筒容器４の上面に、出口２が円筒容器４の下面中心にそれぞれ設けられ、図２および図３のとおり円筒容器４内部の中間層には外形が円筒容器４よりも一回り小さい円盤３が設けられている。円盤３の中心点は垂直方向において入口１および出口２の中心点と同一直線上にある。
【００１５】
また、空気孔６を設けるため、入口１および出口２の中心をつなぐように中空チューブ７が設けられている。中空チューブ７は支持部Ｂ４３によって円筒容器４および円筒容器上面１１に支えられている。ちなみに空気孔６の直径は２〜６ｍｍといった水が通過できない大きさが望ましい。
【００１６】
円盤３、円筒容器４および中空チューブ７の材質は強度や耐食性が保たれていれば何を選択してもかまわないが、代表としてポリプロピレンやポリカーボネート、アクリロニトリルブタジエンスチレン、ポリスチレン、ポリエチレンテレフタレートなどのプラスチックが使用可能である。１００℃程度の耐熱性が必要な場合はポリプロピレンやポリエチレンテレフタレート、ポリカーボネートが望ましい。
【００１７】
また、円盤３は支持部Ａ８によって円筒容器４とつながっており、円筒容器４の中で動かないよう固定されている。また、円筒容器内壁９と円盤３の外周によって形成される円周導水口１０が設けられている。そして円筒容器４の中に直径０．３〜１ｍｍの粒状体であるイオン交換樹脂５を円筒容器４内のほとんど全てが満たされるように充填する。
【００１８】
図２のとおり円筒容器４には分離可能な円筒容器上面１１が設けられており、円筒容器４と円筒容器上面１１のそれぞれの接合部にはねじ溝Ａ１２が設けられている。そのため円筒容器上面１１は円筒容器４本体から着脱できるようになっている。円筒容器上面１１を取り外すことで容易にイオン交換樹脂５を円筒容器４の中に充填できる。
【００１９】
また、イオン交換樹脂５を充填してもこぼれないように入口１および出口２にはナイロンやポリエステルなどの化学合成繊維を織り込んだメッシュ生地１３が設けられている。メッシュ生地１３にはイオン交換樹脂５よりも小さい孔が全面に設けられているため、水は通すがイオン交換樹脂５は円筒容器４の外部にこぼれない。ちなみにメッシュ生地１３は水圧に耐え、水によって腐食しないものであれば、例えば網状の樹脂成型体や耐食性金属メッシュなど他のものでも代用可能である。イオン交換樹脂５を円筒容器４の中に充填した後に円筒容器上面１１を円筒容器４に被せ、ねじって蓋をする。円筒容器上面１１が円筒容器４本体と接触する部分にはリング状のシーリングゴム１４が埋め込まれており、水が漏れないようなっている。
【００２０】
水は通水方向１５に沿って中心の入口１から入り、円筒容器４の中に充填したイオン交換樹脂５の粒どうしの隙間をぬいながら円周方向に向かって均一に流れる。そして水は円周導水口１０に到達した後に下の段へ行き、円周から出口２のある中心へと１８０°折り返して進み、出口２から出てくる。イオン交換樹脂５はスルホン酸基をイオン交換基とし、イオン結合によってナトリウムイオンを保持している。スケール除去器に水道水などの一般的な水を流すことによって、水道水に含まれる塩化カルシウムや塩化マグネシウムに由来する第２族元素イオンをイオン交換基上に捕捉し、代わりにナトリウムイオンを放出する。
【００２１】
このような仕組みで不溶性塩の原因となる第２族元素イオンを取り除いた水を得ることができる。また、単位量あたりのイオン交換樹脂５が第２族元素イオンを捕捉できる量は限られており、限界量を捕捉しきった後は高濃度の塩化ナトリウム水溶液を通水してナトリウムイオンを補足し、第２族元素イオンを脱離させる必要がある。これを再生という。また、再生に使用した水は第２族元素イオンを多く含むため、加湿などに使用せずに廃棄する必要がある。
【００２２】
ここで第２族元素イオンの捕捉量を最大にする、もしくは充填したイオン交換樹脂全てを最大限まで再生するには円筒容器４の中が全て余すところなく通水経路になり、かつ全ての通水経路が同じ長さとなる構造が必要である。本実施の形態のスケール除去器は通水方向１５に沿って上面中心から円周方向へ通水し、下段へ移動して円周から中心方向へ通水するため、円筒容器４の中が全て余すところなく通水経路になり、かつ全ての通水経路が同じ長さとなる。そのため円筒容器４の中に充填したイオン交換樹脂５の全てに等しく均一に通水することができる。したがって通水する水に含まれる第２族元素イオンを最大量除去し、また、全てのイオン交換樹脂５が第２族元素イオンの捕捉能力を最大限発揮するまで再生することができる。
【００２３】
また、通水速度は処理水中の第２族元素イオンの除去効率および塩水によるイオン交換樹脂５の再生効率に大きく影響し、ゆっくり通水すれば除去効率および再生効率が高まる。しかしながらその場合通水時間は長くなってしまう。そのため適度な通水速度とすることが望ましい。そして通水速度は通水経路の長さと数、そしてイオン交換樹脂５の粒どうしが作る小さな隙間の大きさによって決まる。イオン交換樹脂５は真球に近い粒形状を有するため、粒どうしが接触する際に点で接触し、粒の持つＲによって小さな隙間ができる。ゆっくり通水させるためにはこの隙間をもう少し小さくする必要が生じる場合がある。
【００２４】
ここでバルク状イオン交換体１７の内部を拡大した図を図５に示す。バルク状イオン交換体１７は、例えば少量の水と一緒に直径０．３〜１ｍｍの粒状のイオン交換樹脂５と、粒子径が０．０５〜０．５ｍｍのホットメルト樹脂粉末とを目安として９：１の割合で混合し、混合物を円筒容器４の中に充填し加熱冷却することで得られる。こうすることでホットメルト樹脂粉末が溶融固化したホットメルト樹脂１６によってイオン交換樹脂５の粒どうしの隙間が埋められて小さくなっている。そのため通水抵抗を高くすることができ、ゆっくり通水することができる。
【００２５】
ちなみにホットメルト樹脂１６を得るための溶融温度はホットメルト樹脂粉末の材質によるが、例えばエチレン酢酸ビニル共重合体からなるものであれば６０℃〜８０℃、低密度ポリエチレンからなるものであれば１０５℃前後、ポリアミドからなるものであれば１００℃前後になる。加熱温度は５〜２０分が目安である。
【００２６】
また、図１の上面図（ａ）を見てわかるとおり、水平方向において中心部の通水路は狭く、円周部の通水路は広いため、中心部に存在する入口および出口では水は通りにくいが円周部にいくほど水は比較的自由に通過できる。そのため水は円周部にいくほど均一に通りにくい。それを解決するために高さ方向において中心部で高く、円周部に行くほど低くなる通水路を有するスケール除去器の正面断面図を図４に示す。図４に示すとおり高さ方向において中心部の寸法は大きいため通水しやすく、高さ方向において円周部にいくにしたがって寸法が斜めに小さくなっているため通水しにくくなっている。逆に水平方向では中心部が狭いため通水しにくく、円周部にいくほど広いため通水しやすくなる。したがって中心部および円周部での通水のしやすさのバランスが取れるようになり、各部でより均一に通水することができる。そして通水しにくい場所がなくなるため、円筒容器４に充填されているイオン交換樹脂のほぼ全てが第２元素イオンの除去に使えるようになり、スケール除去器をより長期間使用できるようになる。
【００２７】
（実施の形態２）
本発明のスケール除去器の２面図を図６に、図６の一点破線Ｃによる正面断面図を図７に、図６の一点破線Ｄによる上面断面図を図８に示す。図６に示すとおり入口１は円筒容器の上面円周に、また、出口２は円筒容器４の下面円周にそれぞれ設けられており、また、入口１および出口２にはイオン交換樹脂５よりも小さい孔を全面に有するメッシュ生地１３がそれぞれ設けられており、充填したイオン交換樹脂５が円筒容器４の外にこぼれないようにしている。
【００２８】
円筒容器４内部の中間層には外円が円筒容器内壁９と同じ直径を有し、中心に中央導水口１８を有するドーナツ盤１９が設けられている。また、円筒容器４には分離可能な円筒容器上面１１が設けられている。そして円筒容器上面１１と円筒容器４それぞれの接合部にはねじ溝Ａ１２が設けられており、円筒容器上面１１はねじって取り外せるようになっている。円筒容器上面１１を取り外した状態で０．３〜１ｍｍの直径を有するイオン交換樹脂５を円筒容器４の中に隅々まで隙間なく充填する。充填した後に円筒容器上面１１を円筒容器４に被せ、ねじって蓋をする。円筒容器上面１１が円筒容器４と接触する部分にはリング状のシーリングゴム１４が埋め込まれており、水が漏れないようになっている。
【００２９】
また、空気孔６を設けるため、入り口および出口２の中心をつなぐように中空チューブ７が設けられている。ちなみに空気孔６の直径は２〜６ｍｍといった水が通過できない大きさが望ましい。
【００３０】
円筒容器４およびドーナツ盤１９、中空チューブ７の材質は強度や耐食性が保たれていれば何を選択してもかまわないが、代表としてポリプロピレンやポリカーボネート、アクリロニトリルブタジエンスチレン、ポリスチレン、ポリエチレンテレフタレートなどのプラスチックが使用可能である。１００℃程度の耐熱性が必要な場合はポリプロピレンやポリエチレンテレフタレート、ポリカーボネートが望ましい。
【００３１】
水は通水方向１５に沿って上面円周の入口１から入り、中央導水口１８に向かって円周から中心方向へとイオン交換樹脂５の粒どうしが作る小さな隙間をぬって進む。そして中央導水口１８を通過して下の段へと移動し、下面円周にある出口２へと向かって中心から円周方向に流れ、出口２から出てくる。
【００３２】
本発明のスケール除去器は上面円周から中心方向へ通水し、下段へ移動して中心から円周方向へ通水するため、円筒容器４の中が全て余すところなく通水経路になり、かつ全ての通水経路が同じ長さとなる構造を有する。そのため円筒容器の中に充填したイオン交換樹脂５の全てに等しく均一に通水することができる。したがって通水する水に含まれる第２族元素イオンを最大量除去し、また、再生においても塩化ナトリウム水溶液を通水することによって全てのイオン交換樹脂５が第２族元素の捕捉能力を最大限発揮するまで再生することができる。
【００３３】
（実施の形態３）
給水タンク２０、加湿トレイ２１、加湿フィルタ２２、送風機２３からなる加湿機の構成図を図９に、加湿フィルタの構成図を図１０に、給水タンク２０を自立させながら給水バルブ２４を開けるための再生台２５の構成図を図１１に、再生台２５の上に自立させた給水タンク２０の構成図を図１２に示す。給水タンク２０はタンク蓋２６と、タンク蓋２６の裏に装着したスケール除去器２７を備えている。ちなみにここでは代表として実施の形態２に記載したスケール除去器２７を装着している。タンク蓋２６の円周部内側にはねじ溝Ｂ２８が付いていて、同じくねじ溝Ｂ２８が設けられた給水タンク２０本体に被せてねじることで給水タンク２０の開け閉めをすることができる。また、スケール除去器２７にはねじ溝Ｃ２９が設けられており、タンク蓋２６の裏側に設けられたねじ溝Ｃ２９に当ててねじることでタンク蓋２６に着脱することができる。スケール除去器２７が装着されたタンク蓋２６を開け、給水タンク２０に水を入れ、タンク蓋２６を閉め、給水タンク２０を上下にひっくり返し、図１３のとおり加湿機に装着する。ここでタンク蓋２６に設けられた給水バルブ２４はバルブばね３０とゴム製の弁３１を有し、押さない限りは閉じられているため給水タンク２０を上下にひっくり返しても水が漏れない。また、給水タンク２０はトレイ支持体４４に支えられて加湿機内で自立している。給水タンク２０を加湿機に装着後、加湿機に設けられたトレイ突起３２が給水バルブ２４に設けられたバルブ先端３３に接触して給水バルブ２４を押し開く。
【００３４】
そしてマリオットのびんの原理によって給水バルブ２４とほぼ同じ位置まで加湿トレイ２１に水が供給される。加湿トレイ２１に供給された水は、図１０に示すような通気性を有する不織布を円筒状に丸めた円筒状不織布３４をフィルタフレーム３５に納めた加湿フィルタ２２に吸い上げられる。円筒状不織布３４に吸い上げられた水は送風機２３によって空気吸込み口３６から入り円筒状不織布３４の中を通り抜ける空気と接触して気化し、水蒸気となる。水蒸気を含んだ空気は通風方向３７に沿ってオリフィス３８の下流にある送風機２３へとスムーズに吸い込まれ、空気吹出し口３９から吹き出され、周囲を加湿する。
【００３５】
ここで、給水タンク２０の水は全てスケール除去器２７の上面円周に設けられた入口１を通ってスケール除去器２７の下面円周に設けられた出口２から出て、給水バルブ２４を通じて加湿トレイ２１へと供給される。この時水は自重による圧力によってスケール除去器２７の中を通過し、加湿トレイ２１へ供給される。そして給水タンク２０からなくなった水の体積を埋めるように給水バルブ２４から空気孔６を通じて給水タンク２０の内部に空気が入る。そしてタンク蓋に設けられた口ばし４０に水面が触れて空気の通り道が塞がれるまで給水タンク２０内の水は加湿トレイ２１に供給される。加湿トレイ２１の水は加湿されて水面が下がったら再度口ばし４０に水面が触れるまで給水タンク２０から給水トレイに水が給水される。給水タンク２０内の水はスケール除去器２７を通過することで中に含まれていた第２族元素イオンが取り除かれ、その後に加湿トレイ２１に供給され、加湿フィルタ２２に吸い上げられる。そのため第２族元素イオンが炭酸イオンと結合し、不溶性塩となって加湿トレイ２１や加湿フィルタ２２にこびりつくことを防ぐことができる。
【００３６】
炭酸カルシウムなどの不溶性塩は一旦こびりつくと剥がすのに大変な労力を必要とする。また、円筒状不織布３４の繊維と繊維の間にこびりつき、水の吸い上げを阻害する。そのため加湿機は加湿能力の低下を引き起こすが本実施の形態の加湿機では本発明のスケール除去器２７を設けることによってこの問題を解決している。また、スケール除去器２７をタンク蓋２６の裏に装着して給水タンク２０本体の中に納めているためスケール除去器２７を設置する場所を省略することができる。その結果、加湿機を小型化することが可能となっている。
【００３７】
スケール除去器２７が捕捉除去できる第２族元素イオンの量には限界があり、限界に達した後は高濃度の、例えば濃度が５０ｇ／Ｌの塩化ナトリウム水溶液をゆっくり通水することで捕捉した第２族元素イオンを放出してナトリウムイオンに置換することができる。第２族元素イオンを再度捕捉除去するためにこのようにしてスケール除去器２７を再生することができる。再生に用いた塩化ナトリウム水溶液の中には脱離した第２族元素イオンが大量に含まれているため、加湿機に入れて加湿に用いてはいけない。したがって再生の際にはスケール除去器２７を加湿機から取り外して別の場所で行う必要がある。
【００３８】
ここで図１１に示すとおり、再生台２５はバルブ先端３３を押して給水バルブ２４を開けるための再生台突起４１が中央に、給水タンクを支えて自立させるための再生台支持体４２を周囲に備えている。そして給水タンク２０の中に塩化ナトリウム水溶液を入れ、スケール除去器２７を装着したタンク蓋２６を閉め、給水タンク２０の上下をひっくり返し、洗面所シンクや流し台シンクなど排水可能な場所に置いた再生台２５の上に自立させる。
【００３９】
再生台２５の再生台突起４１に押されることによって給水バルブ２４は開かれ、給水タンク２０の中の塩化ナトリウム水溶液はスケール除去器２７に通水されると同時に排水される。また同時に給水バルブ２４から空気孔６を通じて空気が給水タンク２０に入る。こうして給水タンク２０内の塩化ナトリウム水溶液は全てなくなるまでスケール除去器２７に通水される。全てが通水し終えたら再生台２５を外し、タンク蓋２６を開けて給水タンク２０の中やタンク蓋２６、スケール除去器２７を水ですすぐ。その後、給水タンク２０に加湿するための水道水を入れ、タンク蓋２６で蓋をし、加湿機にセットする。
【００４０】
このように本発明の加湿機は塩化ナトリウム水溶液を入れた給水タンク２０にスケール除去器２７が装着されたタンク蓋２６で蓋をし、その後自再生台の上に静置するだけで手軽にスケール除去器を再生することができる。
【産業上の利用可能性】
【００４１】
以上のごとく本発明のスケール除去器はカルシウムイオンやマグネシウムイオンなどの第２族元素イオンが取り除かれた水を長期間、もしくは大量に供給することができ、不溶性のカルシウム塩の発生を防ぐ機器として有用である。また、本発明の加湿機は清潔で洗浄メンテの手間がかからない加湿トレイを提供し、常に高い加湿能力を発揮するため、例えば居住空間の加湿装置として大いに活用が期待できるものである。
【符号の説明】
【００４２】
１  入口
２  出口
３  円盤
４  円筒容器
５  イオン交換樹脂
６  空気孔
７  中空チューブ
８  支持部Ａ
９  円筒容器内壁
１０  円周導水口
１１  円筒容器上面
１２  ねじ溝Ａ
１３  メッシュ生地
１４  シーリングゴム
１５  通水方向
１６  ホットメルト樹脂
１７  バルク状イオン交換体
１８  中央導水口
１９  ドーナツ盤
２０  給水タンク
２１  加湿トレイ
２２  加湿フィルタ
２３  送風機
２４  給水バルブ
２５  再生台
２６  タンク蓋
２７  スケール除去器
２８  ねじ溝Ｂ
２９  ねじ溝Ｃ
３０  バルブばね
３１  弁
３２  トレイ突起
３３  バルブ先端
３４  円筒状不織布
３５  フィルタフレーム
３６  空気吸込み口
３７  通風方向
３８  オリフィス
３９  空気吹出し口
４０  口ばし
４１  再生台突起
４２  再生台支持体
４３  支持部Ｂ
４４  トレイ支持体
【図１】
2014006029.tif 000003
【図２】
2014006029.tif 000004
【図３】
2014006029.tif 000005
【図４】
2014006029.tif 000006
【図５】
2014006029.tif 000007
【図６】
2014006029.tif 000008
【図７】
2014006029.tif 000009
【図８】
2014006029.tif 000010
【図９】
2014006029.tif 000011
【図１０】
2014006029.tif 000012
【図１１】
2014006029.tif 000013
【図１２】
2014006029.tif 000014
【図１３】
2014006029.tif 000015